(57)【要約】
【課題】　コンピュータ装置に接続するケーブルの本数を減らして、配線ミスを防ぐと共に、日常の必要なときに応じて、簡便に利用することができるスキャナ付きマウス装置を実現する。
【解決手段】　スキャナ付きマウス装置１は、コンピュータ装置に対する各種指示を入力操作する入力操作手段であるマウス装置と、原稿面上の画像情報を読み取る画像読み取り手段７であるスキャナ装置と、を具備する。入力操作手段であるマウス装置は、その移動操作量及び移動操作方向を検出する移動検出部３を備えている。
【選択図】　図１
0003099754.tif 000002
【実用新案登録請求の範囲】
【請求項１】
　コンピュータ装置に対する各種指示を入力操作する入力操作手段と、
　原稿面上の画像情報を読み取る画像読み取り手段と、を具備することを特徴とするスキャナ付きマウス装置。
【請求項２】
　前記入力操作手段は、光学式の移動検出部を有することを特徴とする請求項１記載のスキャナ付きマウス装置。
【請求項３】
　前記入力操作手段は、機械式の移動検出部を有することを特徴とする請求項１記載のスキャナ付きマウス装置。
【請求項４】
　前記画像読み取り手段が、前記入力操作手段の前記移動検出部を兼ねることを特徴とする請求項１又は２に記載のスキャナ付きマウス装置。
【考案の詳細な説明】
【技術分野】
【０００１】
　この考案は、原稿面上を手動走査して原稿面の画像情報を読み取るスキャナ機能と、コンピュータの表示画面において入力用のポインタを移動したり入力指示するマウス機能と、を兼ね備えたスキャナ付きマウス装置に関する。
【背景技術】
【０００２】
　従来から、パーソナルコンピュータ等のコンピュータ装置に対する各種指示を入力操作する入力操作手段として、キーボードやマウス装置がある。特にマウス装置は取り扱いが簡便なため、入力操作手段としてよく用いられている。一方、写真やイラスト、あるいは文字等の原稿を画像としてコンピュータ装置に取り込むための画像読み取り手段として、スキャナ装置が利用されている。特に、スキャナ装置自体を移動させることにより、原稿面上を手動走査して原稿面の画像情報を読み取るタイプのスキャナ装置は、簡便であり、広く用いられている。
【０００３】
　このようなマウス装置やスキャナ装置を利用する場合、これらは、コンピュータ装置の周辺機器として、マウス装置、スキャナ装置それぞれを、ケーブルによりコンピュータ装置に接続して用いている。
【０００４】
　ところで、従来技術に関連して、下記の特許文献１には、移動操作量や移動操作方向などを検出してコンピュータ装置に入力する機能を実現するだけでなく、外部の装置との間で無線通信を行うことも可能とするマウス装置について開示されている。
【特許文献１】特開２００３−７６４９２号公報（第３頁、第２図）
【考案の開示】
【考案が解決しようとする課題】
【０００５】
　上記マウス装置を利用して、コンピュータ装置への入力操作を行っている際に、スキャナ装置を使用して原稿面の画像情報をコンピュータ装置に取り込みたい場合がある。しかしながら、このような場合には、マウス装置とは別に、スキャナ装置をコンピュータ装置に接続して利用しなければならないため、簡単にスキャナ装置を使用することができず、作業の効率が悪い。一方、マウス装置とスキャナ装置との両方をコンピュータ装置に予め接続しておくことも考えられる。しかし、コンピュータ装置の多機能化・高性能化が進められるに従い、コンピュータ装置に接続される外部記憶装置や入力装置等の周辺機器がますます増加していることから、接続に必要なケーブルの本数を増加させることになる。その結果、配線ミスが生じたり、多数のケーブルにより美観が損なわれたりする問題がある。
【０００６】
　本考案は、コンピュータ装置に接続するケーブルの本数を減らして、配線ミスを防ぐと共に、日常の必要なときに応じて、簡便に利用することができるスキャナ付きマウス装置を実現することを課題とするものである。
【課題を解決するための手段】
【０００７】
　本考案は上記課題を解決するために、コンピュータ装置に対する各種指示を入力操作する入力操作手段と、原稿面上の画像情報を読み取る画像読み取り手段と、を具備することを特徴とするスキャナ付きマウス装置を提供する。
【０００８】
　前記入力操作手段は、光学式の移動検出部を有することが好ましい。
【０００９】
　前記入力操作手段は、機械式の移動検出部を有することが好ましい。
【００１０】
　前記画像読み取り手段が、前記入力操作手段の前記移動検出部を兼ねることが好ましい。
【考案の効果】
【００１１】
　以上の構成から成る本考案に係るスキャナ付きマウス装置によると、コンピュータ装置に接続するケーブルの本数を減らして、配線ミスを防ぐと共に、日常の必要なときに応じて、簡便に利用することができる。
【考案を実施するための最良の形態】
【００１２】
　本考案に係るスキャナ付きマウス装置を実施するための最良の形態を実施例に基づいて図面を参照して説明する。
【実施例１】
【００１３】
　図１（ａ）は、本考案の実施例１に係るスキャナ付きマウス装置１の上から見た平面図であり、図１（ｂ）は、スキャナ付きマウス装置１の底面図である。また、図４は、本考案のスキャナ付きマウス装置１がコンピュータ装置４１に接続された状態を模式的に示すブロック図である。スキャナ付きマウス装置１は、コンピュータ装置に対する各種指示を入力操作する入力操作手段、即ち、マウス装置と、原稿面上の画像情報を読み取る画像読み取り手段、即ち、スキャナ装置と、を具備する。
【００１４】
　スキャナ付きマウス装置１において、入力操作手段であるマウス装置の機能の一つとして、図１（ａ）に示されるように、ケース２の上面２ｃには、入力を行うためのクリックボタン４ａ、４ｂ及び、回転ホイール５が設けられている。クリックボタン４ａ、４ｂを押下（クリック）することにより、クリックボタン４ａ、４ｂの下側に設けられたマイクロスイッチ（図示せず）がオン／オフされ、所望の入力を指示する操作信号が、ケーブル６を介してコンピュータ装置４１に送信される。また、回転ホイール５を回転操作することにより、コンピュータ装置４１に接続された表示装置４４の画面上において表示画面のスクロールを指示する操作信号が、コンピュータ装置４１に送信される。
【００１５】
　さらに、スキャナ付きマウス装置１は、入力操作手段であるマウス装置の機能（マウス機能）として、例えば卓上に載置された状態で移動操作される。従って、入力操作手段であるマウス装置は、その移動操作量及び移動操作方向を検出する移動検出部３を備えている。実施例１のスキャナ付きマウス装置１では、機械式の移動検出部３を有する。機械式の移動検出部３は、所定の重さを有する回転自在の球体であるマウスボール３ａと、マウスボール３ａの回転方向や回転速度を検出する機構等により構成される。具体的には、マウスボール３ａは、図１（ｂ）に示されるように、スキャナ付きマウス装置１のケース２の底面に形成された開口部２ｂから、マウスボール３ａの下端部が外部に露出するように構成されている。このマウスボール３ａは、ケース２の中央部２ａに形成されたボールホルダ（図示せず）に、着脱可能かつ回転自在に保持されている。
【００１６】
　移動検出部３は、マウスボール３ａに加えて、マウスボール３ａの表面に当接された互いに直交する２本の回転軸と、この回転軸を介して回転自在に設けられた光学式回転エンコーダの円盤と、この円盤の回転量を光電変換する光カプラ（いづれも全て図示せず）と、をさらに含んで構成されている。移動検出部３で検出され光電変換された、マウスボール３ａの回動方向及び回転量に相当する操作信号が、スキャナ付きマウス装置１に接続されているケーブル６を介して、コンピュータ装置４１に送信される。
【００１７】
　本考案のスキャナ付きマウス装置１の特徴は、上述した入力操作手段、つまり、マウス装置に加えて、画像読み取り手段７、つまり、スキャナ装置を具備していることである。画像読み取り手段７は、写真やイラスト、あるいは文字等の原稿面上の画像情報を読み取りコンピュータ装置に取り込むスキャナ装置としての機能（スキャナ機能）を有する。図１（ｂ）に示されるように、画像読み取り手段７は、その読み取り面７ａが、スキャナ付きマウス装置１のケース２の底面２ｄにはめ込まれた防塵用透明部材８を介して設けられている。この読み取り面７ａは、長手方向、つまり原稿面上の画像情報の走査方向を縦にして設けられている。
【００１８】
　図２は、図１（ｂ）のスキャナ付きマウス装置１をＡ−Ａ切断面で切断した側断面図であり、画像読み取り手段７の模式図が示されている。画像読み取り手段７は、スキャナ付きマウス装置１のケース２内に設けられており、光源１１と、光学レンズ１２と、光電変換素子１３とを備える。光源１１は、例えば緑色光や赤色光等を発するＬＥＤ（Light　Emitting　Diode、発光ダイオード）アレイである。光学レンズ１２は、例えば一次元に並んだロッドレンズ（円柱状レンズ）から成るロッドレンズアレイである。光学レンズ１２は、光源１１から発せられ原稿面１４上で反射した光を集光する。光電変換素子１３は、例えばＣＣＤ素子であり、光学レンズ１２により集光された光を受光して電気信号に変換する。電気信号に変換された画像データは、スキャナ付きマウス装置１に接続されているケーブル６を介して、コンピュータ装置４１に取り込まれる。
【００１９】
　また、図２の紙面において、スキャナ付きマウス装置１のケース２の底面２ｄであって、画像読み取り手段７の下方は、蓋体２ｅに保持された防塵用透明部材８で塞がれており、画像読み取り手段７が埃から保護される。
【００２０】
　なお、スキャナ付きマウス装置１において、ケース２の例えば側面には、マウス機能とスキャナ機能とを切り替える切り替えスイッチ（図示せず）が設けられている。この切り替えスイッチを用いて、手動で、スキャナ付きマウス装置１のマウス機能とスキャナ機能とを切り替え可能である。また、切り替えスイッチを設ける代わりに、回転ホイール５等にこの切り替えスイッチの機能を備えさせることにしても良い。具体的には、回転ホイール５をバネスイッチのような構成にし、回転ホイール５を押して操作する毎に、マウス機能とスキャナ機能とが切り替わるようにすることが考えられる。
【００２１】
　上述したスキャナ付きマウス装置１がケーブル６を介して接続されるコンピュータ装置４１は、図４に示されるように、スキャナ付きマウス装置１から送信されてきた操作信号や画像データに基づき処理・演算を行うＣＰＵ（中央演算処理装置）４２と、ＣＰＵ４２で処理された結果を表示する表示装置４４と、画像データや各種データを記憶するメモリ等の記憶装置４３と、入力インターフェイス４５及び出力インターフェイス４６と、を備える。
【００２２】
（作用）
　次に、本実施例の作用について説明する。スキャナ付きマウス装置１で、マウス機能を使用する場合、上述の切り替えスイッチ（図示せず）によりマウス機能にする。クリックボタン４ａ、４ｂを押下（クリック）すると、クリックボタン４ａ、４ｂの下側に設けられたマイクロスイッチ（図示せず）がオン／オフされ、所望の入力を指示する操作信号が、ケーブル６を介してコンピュータ装置４１に送信される。同様に、回転ホイール５を回転操作することにより、コンピュータ装置４１に接続された表示装置４４の画面上において表示画面のスクロールを指示する操作信号が、コンピュータ装置４１に送信される。また、スキャナ付きマウス装置１を卓上に載置した状態で移動操作すると、マウスボール３ａの回動方向及び回転量に相当する操作信号が、ケーブル６を介して、コンピュータ装置４１に送信される。
【００２３】
　これらの操作信号は、コンピュータ装置４１において、入力インターフェイス４５を介してＣＰＵ（中央演算処理装置）４２に送られる。ＣＰＵ４１では送られてきた操作信号に基づき、所望の指示操作を行うように処理され、出力インターフェイス４６を介して表示装置４４の表示画面上にその処理結果が表示される。
【００２４】
　マウス機能を使用していた使用者が、スキャナ機能を使用する場合、上述の切り替えスイッチ（図示せず）によりスキャナ機能に切り替える。次に、スキャナ付きマウス装置１の底面２ｄを原稿面１４上に置いて対面させ、矢印Ｄで示される副走査方向（画像読み取り手段７の読み取り面７ａの長手方向に対して垂直な方向）に、スキャナ付きマウス装置１を手動で移動させる。
【００２５】
　画像読み取り手段７の光源１１から照射された光は、原稿面１４で反射され、光学レンズ１２により集光されて、光電変換素子１３に結像し、電気信号に変換される。こうして電気信号に変換された画像データ信号は、スキャナ付きマウス装置１から、ケーブル６を介して接続されているコンピュータ装置４１に取り込まれる。
【００２６】
　取り込まれた画像データ信号は、コンピュータ装置４１において、入力インターフェイス４５を介してＣＰＵ（中央演算処理装置）４２に送られる。ＣＰＵ４１では送られてきた画像データ信号に基づいて処理される。処理された結果は、出力インターフェイス４６を介して表示装置４４の表示画面上に表示される。
【００２７】
　例えば、画像読み取り手段７により原稿面１４上の文字を読み取った場合、ＣＰＵ４２において、送られてきたこの文字についての画像データ信号を、ＯＣＲ（Optical　Character　Reader、光学文字読み取り装置）により、基準となる文字と照合して認識する処理が行われる。認識処理された文字は、出力インターフェイス４６を介して表示装置４４の表示画面上に表示される。
【実施例２】
【００２８】
　図３（ａ）は、本考案の実施例２に係るスキャナ付きマウス装置２１の底面図である。本実施例のスキャナ付きマウス装置２１は、実施例１のスキャナ付きマウス装置１と類似し、同一の部分には同一の参照符号を付して説明を省略する。また、本実施例に係るスキャナ付きマウス装置２１の上から見た平面図は、実施例１に係るスキャナ付きマウス装置１の上から見た平面図（図１（ａ））と同様であるため、図示及び説明を省略する。なお、図３（ａ）のスキャナ付きマウス装置２１をＢ−Ｂ切断面で切断した側断面図は、図１（ｂ）の実施例１に係るスキャナ付きマウス装置１をＡ−Ａ切断面で切断した側断面図、つまり、図２の画像読み取り手段７の側断面図と同様である。
【００２９】
　本実施例のスキャナ付きマウス装置２１が、実施例１のスキャナ付きマウス装置１と異なる点は、入力操作手段であるマウス装置が、機械式に代えて光学式の移動検出部２３を有することである。光学式の移動検出部２３は、スキャナ付きマウス装置１が載置された面に所定の波長域の光を照射し、この載置された面から戻ってきた光に基づいて、スキャナ付きマウス装置１の移動量や移動方向を検出する。さらに具体的には、移動検出部２３は、所定の波長域の光を照射する光源（図示せず）と、スキャナ付きマウス装置１が載置された面に、この光源から光を照射し反射した光を検出するＣＣＤセンサ等の光電変換素子（図示せず）とを備える。そして、この光電変換素子により、スキャナ付きマウス装置１が載置された面の一特徴点を検出し、スキャナ付きマウス装置１自体が載置された面を移動するときの一特徴点の動きから、スキャナ付きマウス装置１の移動量及び移動方向を検出する。
【００３０】
　光学式の移動検出部２３では、実施例１のスキャナ付きマウス装置１で示した機械式の移動検出部３のように、マウスボール３ａといった可動する部分が無いので、信頼性が高まるとともに、メンテナンスの手間も省くことができる。
【００３１】
　本実施例のスキャナ付きマウス装置２１も、実施例１と同様に、図４に示されるコンピュータ装置４１にケーブル６を介して接続される。本実施例においても、実施例１と同様の作用、効果が得られる。
【実施例３】
【００３２】
　図３（ｂ）は、本考案の実施例３に係るスキャナ付きマウス装置３１の底面図である。本実施例のスキャナ付きマウス装置３１が、上記各実施例１及び２のスキャナ付きマウス装置１、２１と同一の部分には同一の参照符号を付して説明を省略する。本実施例に係るスキャナ付きマウス装置３１の上から見た平面図は、実施例１に係るスキャナ付きマウス装置１の上から見た平面図（図１（ａ））と同様であるため、図示及び説明を省略する。
【００３３】
　本実施例のスキャナ付きマウス装置３１には、画像読み取り手段３７が設けられている。本実施例のスキャナ付きマウス装置３１が、他の各実施例１、２のスキャナ付きマウス装置１、２１と異なる特徴点は、スキャナ機能を有する画像読み取り手段３７が、マウス機能を有する入力操作手段の移動検出部を兼ねていることである。従って、図３（ｂ）に示されるように、スキャナ付きマウス装置３１には、実施例１、２のスキャナ付きマウス装置１、２１において画像読み取り手段３１とは別個に設けられていた機械式又は光学式の移動検出部３、２３は設けられていない。
【００３４】
　図３（ｂ）のスキャナ付きマウス装置３１をＣ−Ｃ切断面で切断した側断面図に示される画像読み取り手段３７の構造は、実施例１、２に係るスキャナ付きマウス装置１、２１を、それぞれＡ−Ａ切断面又はＢ−Ｂ切断面で切断した側断面図に示される画像読み取り手段７の構造（図２参照）と同様である。
【００３５】
　また、本実施例に係るスキャナ付きマウス装置３１も、実施例１、２に係るスキャナ付きマウス装置１、２１と同様に、図４に示されるコンピュータ装置４１にケーブル３６を介して接続されている。
【００３６】
　本実施例のスキャナ付きマウス装置３１の画像読み取り手段３７においては、読み取り面７ａの長手方向（主操作方向）の一点、つまり、一次元に並んだロッドレンズから成るロッドレンズアレイの例えば中心が、スキャナ付きマウス装置３１が載置された面の一特徴点（基準となる位置）としてコンピュータ装置４１のＣＰＵ４２により認識される。例えば具体的には、ＣＰＵ４２に接続されている記憶装置４３に、読み取り面７ａの長手方向（主操作方向）の中心が、スキャナ付きマウス装置３１が載置された面の一特徴点として認識するように処理を行うソフトウェアが格納されており、ＣＰＵ４２は、このソフトウェアに従って、スキャナ付きマウス装置３１の一特徴点を認識する。そして、スキャナ付きマウス装置１自体が載置された面を移動するときの一特徴点の動きから、スキャナ付きマウス装置１の移動量及び移動方向を検出する。このように、画像読み取り手段３７が、スキャナ付きマウス装置３１の移動量や移動方向を検出する移動検出部としての役割を兼ねている。
【００３７】
　なお、本実施例では、画像読み取り手段３７において、読み取り面７ａの長手方向（主操作方向）の中心が、スキャナ付きマウス装置３１が載置された面の一特徴点（基準となる位置）として認識されることとした。しかし、スキャナ付きマウス装置３１が載置された面の一特徴点（基準となる位置）として認識されるのは、読み取り面７ａの長手方向の一点であればよく、必ずしも中心には限られない。例えば、読み取り面７ａの長手方向の一端や他の一点を一特徴点として認識してもよい。
【００３８】
　上記各実施例では、スキャナ付きマウス装置１、２１、３１は、例えばＵＳＢ（Universal　Serial　Bus）接続方式によりコンピュータ装置４１に接続されている。つまり、スキャナ付きマウス装置１、２１、３１は、コンピュータ装置４１との間で、ＵＳＢに対応したデータ転送方式によりデータを送受信できる。スキャナ付きマウス装置１、２１、３１がＵＳＢに対応している場合、コンピュータ装置４１を起動させたまま、スキャナ付きマウス装置１、２１、３１をコンピュウータ装置４１に接続することができる等、利便性が高い。なお、本考案の各実施例では、ＵＳＢ接続方式を採用しているが、上記ＵＳＢには限定されない。例えばＩＥＥＥ１３９４等の規格で定められた通信方式のように各種のシリアルバスや、パラレルバス等に対応した通信方式を採用することにしてもよい。
【００３９】
　本考案の各実施例に係るスキャナ付きマウス装置１、２１、３１によれば、コンピュータ装置４１に対する各種指示の入力操作を行うマウス機能と、画像情報を読み取るスキャナ機能と、の両方の機能を有している。したがって、スキャナ付きマウス装置１、２１、３１をコンピュータ４１に接続して、通常のマウス装置と同様に使用することができるとともに、必要なときには、スキャナ機能を利用して、簡単に画像の情報を読み取ることができるので、利便性が向上する。
【００４０】
　このように、本考案のスキャナ付きマウス装置１、２１、３１は、従来のマウス装置のようにマウス機能のみならず、スキャナ機能も有しているので、スキャナ装置とコンピュータ装置４１とを接続するインターフェイスを新たに増設しなくとも、原稿画像の読み取りを行うことができる。さらには、スキャナ装置及びマウス装置それぞれを、別々にコンピュータ装置に接続する従来の場合に比べて、必要なケーブルの本数を１本減らすことができるので、配線ミスが生じたり、多数のケーブルにより美観か損なわれたりすることがない等の利点を有する。
【００４１】
　なお、本考案の各実施例ではスキャナ付きマウス装置１、２１、３１をケーブル６、３６を介してコンピュータ装置４１に接続されており、有線送受信を行うこととしたが、有線送受信に限られず、無線送受信を行うことにしてもよい。
【００４２】
　以上、本考案に係るスキャナ付きマウス装置の最良の形態を実施例に基づいて説明したが、本考案は特にこのような実施例に限定されることなく、実用新案登録請求の範囲記載の技術的事項の範囲内でいろいろな実施例があることはいうまでもない。
【産業上の利用可能性】
【００４３】
　本考案は、コンピュータ装置の周辺機器として利用され、さらに具体的には、コンピュータ装置に対する入力操作を行うためのポインティングデバイスであるマウス装置として、かつ、原稿面上の画像を読み取ってコンピュータ装置に取り入れるスキャナ装置として活用される。
【図面の簡単な説明】
【００４４】
【図１】図１（ａ）は、本考案の実施例１に係るスキャナ付きマウス装置の上から見た平面図であり、図１（ｂ）は、スキャナ付きマウス装置の底面図である。
【図２】図２は、実施例１のスキャナ付きマウス装置をＡ−Ａ切断面で切断した側断面図である。
【図３】図３（ａ）は、本考案の実施例２に係るスキャナ付きマウス装置の底面図であり、図３（ｂ）は、本考案の実施例３に係るスキャナ付きマウス装置の底面図である。
【図４】本考案のスキャナ付きマウス装置がコンピュータ装置４１に接続された状態を模式的に示すブロック図である。
【符号の説明】
【００４５】
　１、２１、３１　　スキャナ付きマウス装置
　２　　ケース
　２ａ　　中央部
　２ｃ　　上面
　２ｄ　　底面
　２ｅ　　蓋体
　３、２３　　移動検出部
　３ａ　　マウスボール
　４ａ、４ｂ　　クリックボタン
　５　　回転ホイール
　６、３６　　ケーブル
　７、３７　　画像読み取り手段
　７ａ　　読み取り面
　８　　防塵用透明部材
　１１　　光源
　１２　　光学レンズ
　１３　　光電変換素子
　４１　　コンピュータ装置
　４２　　ＣＰＵ
　４３　　記憶装置
　４４　　表示装置
　４５　　入力インターフェイス
　４６　　出力インターフェイス
【図１】
0003099754.tif 000003
【図２】
0003099754.tif 000004
【図３】
0003099754.tif 000005
【図４】
0003099754.tif 000006